(57)【要約】【課題】  通信端末の使用者が、通話のバックグラウンドで行われるデータ通信によりデータを受信したことを、容易且つタイムリーに知ることを可能とする。【解決手段】  携帯電話機１００−１は、携帯電話機１００−２との間で音声通話回線を確立した後、携帯電話機１００−２との間でデータ通信回線を確立し、画像データを取得する。携帯電話機１００−１は、音声通話回線を切断すると報知音を発生させ、取得した画像データを表示し、音声通話中にデータ通信によりデータを取得したことを携帯電話機１００−１の使用者に報知する。【選択図】        図１
2005175831.tif 000002
【特許請求の範囲】
【請求項１】
通話回線を確立する通話回線確立手段と、
前記通話回線確立手段により通話回線が確立されている最中に、前記通話回線確立手段が確立した通話回線の接続先である通信端末との間で、データ通信回線を確立するデータ回線確立手段と、
前記データ回線確立手段により確立したデータ通信回線を用いてデータを授受するデータ授受手段と、
前記データ授受手段がデータを授受したことを報知する報知手段と
を有する通信端末。
【請求項２】
通話回線を確立する通話回線確立手段と、
前記通話回線確立手段により通話回線が確立されている最中に、自装置が確立した回線の利用に対して行われる課金の情報を記憶する課金サーバ装置との間でデータ通信回線を確立するデータ回線確立手段と、
前記データ回線確立手段により確立したデータ通信回線を用いて、前記課金サーバ装置から前記課金の情報を取得するデータ授受手段と、
前記データ授受手段がデータを授受したことを報知する報知手段と
を有する通信端末。
【請求項３】
前記報知手段は、前記データ授受手段がデータを授受したことを音声通話回線確立中に報知すること
を特徴とする請求項１または請求項２に記載の通信端末。
【請求項４】
前記報知手段は、前記データ授受手段がデータの受信を始めたことと、前記データ授受手段がデータの受信を終了したことを報知すること
を特徴とする請求項１または請求項２に記載の通信端末。
【請求項５】
前記報知手段は、前記データ授受手段がデータを授受したことを音声通話回線が切断されたことを契機として報知すること
を特徴とする請求項１または請求項２に記載の通信端末。
【請求項６】
前記報知手段は、前記データ授受手段がデータを授受したことを、画像を用いて報知すること
を特徴とする請求項５に記載の通信端末。
【請求項７】
前記通話回線を用いて行われている通話の時間を計時する計時手段をさらに有し、
前記データ授受手段は、前記計時手段が計時した時間を授受すること
を特徴とする請求項１または請求項２に記載の通信端末。
【請求項８】
コンピュータ装置を、
通話回線を確立する通話回線確立手段と、
前記通話回線確立手段により通話回線が確立されている最中に、前記通話回線確立手段が確立した通話回線の接続先である通信端末との間で、データ通信回線を確立するデータ回線確立手段と、
前記データ回線確立手段により確立したデータ通信回線を用いてデータを授受するデータ授受手段と、
前記データ授受手段がデータを授受したことを報知する報知手段
として機能させるためのプログラム。
【請求項９】
コンピュータ装置を、
通話回線を確立する通話回線確立手段と、
前記通話回線確立手段により通話回線が確立されている最中に、自装置が確立した回線の利用に対して行われる課金の情報を記憶する課金サーバ装置との間でデータ通信回線を確立するデータ回線確立手段と、
前記データ回線確立手段により確立したデータ通信回線を用いて、前記課金サーバ装置から前記課金の情報を取得するデータ授受手段と、
前記データ授受手段がデータを授受したことを報知する報知手段
として機能させるためのプログラム。
【発明の詳細な説明】
【技術分野】
【０００１】
本発明は、一つの通信端末が音声通信とデータ通信とを同時に行う技術に関する。
【背景技術】
【０００２】
電話回線を用いて音声通話が行われている最中に、同じ電話回線を用いて通話のバックグラウンドでデータ通信を行う技術が知られている（例えば、特許文献１参照）。この技術を用いることにより、通話を終了させることなく、互いの通話者が有する端末間でデータの授受を行うことが可能となる。
【特許文献１】特開平７−６６９０５号公報
【発明の開示】
【発明が解決しようとする課題】
【０００３】
ところで、特許文献１に開示されている技術では、通信端末の使用者が、データ通信が行われていることを意識することは無い。このため、通話の最中に利用すべきデータの送信時には、送信元の通信端末の使用者が送信先の通信端末の使用者に対して、例えば「バックグラウンドでデータを送りました」というように、バックグランドでデータを送信したことを口頭で通知しなければならない。これは通信端末の使用者にとって繁雑な作業である。そもそも、このような通知を行うためには、バックグラウンドで行われるデータ通信の進行状況を送信元の通信端末の使用者が把握しなければならないが、特許文献１に開示されている技術では、この把握すら困難である。
【０００４】
本発明は、上述した事情に鑑みてなされたものであり、通信端末の使用者が、通話のバックグラウンドで行われるデータ通信によりデータを受信したことを、容易且つタイムリーに知ることができる、通信端末およびプログラムを提供することを目的とする。
【課題を解決するための手段】
【０００５】
本発明は、通話回線を確立する通話回線確立手段と、前記通話回線確立手段により通話回線が確立されている最中に、前記通話回線確立手段が確立した通話回線の接続先である通信端末との間で、データ通信回線を確立するデータ回線確立手段と、前記データ回線確立手段により確立したデータ通信回線を用いてデータを授受するデータ授受手段と、前記データ授受手段がデータを授受したことを報知する報知手段とを有する通信端末を提供する。
また本発明は、通話回線を確立する通話回線確立手段と、前記通話回線確立手段により通話回線が確立されている最中に、自装置が確立した回線の利用に対して行われる課金の情報を記憶する課金サーバ装置との間でデータ通信回線を確立するデータ回線確立手段と、前記データ回線確立手段により確立したデータ通信回線を用いて、前記課金サーバ装置から前記課金の情報を取得するデータ授受手段と、前記データ授受手段がデータを授受したことを報知する報知手段とを有する通信端末を提供する。
また本発明は、コンピュータ装置を、通話回線を確立する通話回線確立手段と、前記通話回線確立手段により通話回線が確立されている最中に、前記通話回線確立手段が確立した通話回線の接続先である通信端末との間で、データ通信回線を確立するデータ回線確立手段と、前記データ回線確立手段により確立したデータ通信回線を用いてデータを授受するデータ授受手段と、前記データ授受手段がデータを授受したことを報知する報知手段
として機能させるためのプログラムを提供する。
また本発明は、コンピュータ装置を、通話回線を確立する通話回線確立手段と、前記通話回線確立手段により通話回線が確立されている最中に、自装置が確立した回線の利用に対して行われる課金の情報を記憶する課金サーバ装置との間でデータ通信回線を確立するデータ回線確立手段と、前記データ回線確立手段により確立したデータ通信回線を用いて、前記課金サーバ装置から前記課金の情報を取得するデータ授受手段と、前記データ授受手段がデータを授受したことを報知する報知手段として機能させるためのプログラムを提供する。
本発明によれば、通信端末は、音声通話回線を確立した後、音声通話回線が確立している最中に、データ通信可能な装置との間でデータ通信回線を確立し、当該データ通信回線を用いてデータを授受したことを、当該通信端末の使用者に報知する。
【発明の効果】
【０００６】
本発明によれば、通信端末の使用者が、通話のバックグラウンドで行われるデータ通信によりデータを受信したことを、容易且つタイムリーに知ることが可能となる。
【発明を実施するための最良の形態】
【０００７】
以下、図面を参照して本発明に係る実施形態について説明する。
【０００８】
［１．実施形態の構成］
［１−１．全体構成］
図１は、本発明の実施形態に係わる通信システム１０の全体構成を例示する図である。
【０００９】
携帯電話機１００−１および携帯電話機１００−２は、ＩＭＴ−２０００（International Mobile Telecommunication 2000）に準拠した携帯電話機である。ここで、携帯電話機１００−１と携帯電話機１００−２は同じ構成である。したがって、以下、個々の携帯電話機を区別する必要のない場合は、携帯電話機１００と略称する。携帯電話機１００は、複数の無線回線を同時に独立して制御することが可能であり、各無線回線に対して個別に呼設定および呼解放を行うことにより、音声通話用の回線交換呼とデータ通信用のパケット交換呼の同時通信を行うことができる。
【００１０】
移動体通信網２００は、ＩＭＴ−２０００に準拠しており、後述する無線基地局２０１と携帯電話機１００との間で行われる通信にＷ−ＣＤＭＡ（Wideband-Code Division Multiple Access）と呼ばれる通信方式を用いる通信網である。移動体通信網２００は、移動体通信網２００を運用する通信事業者と加入契約を結んだ者が所有する携帯電話機１００に対してパケット通信を用いたデータ通信サービスや通話サービス、音声交換呼とパケット交換呼の同時通信を可能とするマルチコールサービスを提供する。移動体通信網２００は、以下に説明する装置を有している。
【００１１】
無線基地局２０１−１および無線基地局２０１−２（以下、個々の無線基地局を区別する必要のない場合は、無線基地局２０１と略称する）は、自局が管理する無線セル内に在圏している携帯電話機１００と無線通信を行うものであり、無線ネットワーク制御装置２０２に接続されている。無線基地局２０１は、携帯電話機１００に対し広範な通信可能エリアを提供するために通信サービスエリア内に多数設置されているが、図１では、図面が煩雑になるのを防ぐために二つの無線基地局のみを例示している。
【００１２】
無線ネットワーク制御装置２０２−１および無線ネットワーク制御装置２０２−２（以下、個々の無線ネットワーク制御装置を区別する必要のない場合は、無線ネットワーク制御装置２０２と略称する）は、加入者階梯交換機２０３に接続されており、当該装置に接続されている複数の無線基地局２０１を制御し、無線回線の回線接続制御、ハンドオーバ制御等を行う。無線ネットワーク制御装置２０２は、多数存在するが、図１においては、図面が煩雑になるのを防ぐために二つの無線ネットワーク制御装置のみを例示している。
【００１３】
加入者階梯交換機２０３−１および加入者階梯交換機２０３−２（以下、個々の加入者階梯交換機を区別する必要のない場合は、加入者階梯交換機２０３と略称する）は、回線交換機能およびパケット交換機能を有しており、共通線信号網２１１およびＡＴＭ（Asynchronous Transfer Mode：非同期転送モード）ネットワーク２１０に接続されている。
【００１４】
ＡＴＭネットワーク２１０は、伝送・交換方式として非同期転送モードを用いるネットワークである。ＡＴＭネットワーク２１０は、音声などの回線交換のデータとデータ通信などのパケット交換のデータを、５３バイトの固定長データ列（ＡＴＭセル）を単位として伝送・交換する。加入者階梯交換機２０３と関門中継階梯交換機２０４との間では、非同期転送モードを用いた通信が行われる。共通線信号網２１１は、回線接続を行うために各交換機間で授受される制御信号や課金のための課金信号を伝送する通信網である。
【００１５】
関門中継階梯交換機２０４は、ＡＴＭネットワーク２１０および共通線信号網２１１に接続されている。関門中継階梯交換機２０４は、回線交換機能およびパケット交換機能を有している。また、関門中継階梯交換機２０４は、携帯電話機１００がデータ通信を開始する際に、携帯電話機１００に対して動的にＩＰアドレスを付与し、図２に例示したように、電話番号に対応付けて、付与したＩＰアドレスをアドレス管理テーブルＴＢ１に格納する。
【００１６】
ＮＭＳＣＰ（New Mobile Service Control Point）２０５は、共通線信号網２１１に接続されており、移動体通信網２００を運用する通信事業者と加入契約を結んだ加入契約者に関する情報や、携帯電話機１００の位置登録情報を記憶する。またＮＭＳＣＰ２０５は、同じく共通線信号網に接続されている加入者階梯交換機２０３から送られる課金信号に基づいて、加入契約者毎に課金を行い、加入契約者に請求する通信料金を算出し、算出した通信料金を示すデータを、共通線信号網２１１を介して課金サーバ装置２０６へ送信する。
【００１７】
課金サーバ装置２０６は、関門中継階梯交換機２０４および共通線信号網２１１に接続されており、その構成は、一般的なサーバ装置と同様である。課金サーバ装置２０６は、ＮＭＳＣＰ２０５から送信される、通信料金を示すデータを受信し、加入契約者に請求する通信料金を加入契約者毎に記憶し、管理する。課金サーバ装置２０６は、図３に例示したフォーマットで課金テーブルＴＢ２を記憶している。課金テーブルＴＢ２は、携帯電話機１００が行っている最中の通信に対して請求する通信料金を示すデータを格納するテーブルである。課金サーバ装置２０６は、パケット通信により、携帯電話機１００と通信を行うことが可能であり、携帯電話機１００からの要求に応じて、当該携帯電話機１００が行っている最中の通信に対して請求する通信料金を示す通信料金データを課金テーブルＴＢ２から読み出し、携帯電話機１００へ送信する機能を有している。
【００１８】
［１−２．携帯電話機の構成］
次に、携帯電話機１００の構成について説明する。図４は、携帯電話機１００のハードウェア構成を例示する図である。
【００１９】
送受信処理部１０１は、図示を省略したアンテナを有しており、無線基地局２０１と無線通信を行う。送受信処理部１０１は、ベースバンド信号処理部１０２に接続されている。送受信処理部１０１は、無線基地局２０１から送信された無線信号を増幅し、復調した後、復調した信号をベースバンド信号処理部１０２へ供給する。また、送受信処理部１０１には、ベースバンド信号処理部１０２から供給された信号が入力される。送受信処理部１０１は、この入力された信号を変調し、増幅して無線基地局２０１へ送信する。
【００２０】
ベースバンド信号処理部１０２は、ＣＯＤＥＣ（COder DECoder）部１０３およびＣＰＵ（Central Processing Unit）１０４に接続されている。ベースバンド信号処理部１０２は、送信する信号に対して誤り訂正符号の付加や拡散変調を行う。ベースバンド信号処理部１０２は、ＣＯＤＥＣ部１０３から供給される音声通話に係わる信号と、ＣＰＵ１０４から供給されるデータ通信に係わる信号に対して上述した処理を行い、各々の信号を送受信処理部１０１へ供給する。また、ベースバンド信号処理部１０２は、送受信処理部１０１から供給された信号の逆拡散や誤り訂正複合などを行う。ベースバンド信号処理部１０２は、送受信処理部１０１から供給された信号を処理した後、音声通話に係わる信号をＣＯＤＥＣ部１０３へ供給し、データ通信に係わる信号をＣＰＵ１０４へ供給する。
【００２１】
ＣＯＤＥＣ部１０３は、アナログ信号からデジタル信号への変換や、デジタル信号からアナログ信号への変換を行う。ＣＯＤＥＣ部１０３は、図示を省略したマイクから入力されるアナログ信号をデジタル信号に変換しベースバンド信号処理部１０２へ供給する。また、ＣＯＤＥＣ部１０３は、ベースバンド信号処理部１０２から供給されるデジタル信号をアナログ信号に変換し、図示を省略したスピーカへ供給することにより、報知音や音声などの音を発生させる。
【００２２】
操作部１０５は、図示を省略したテンキーなどの複数のキーを有している。携帯電話機１００の使用者が、操作部１０５が有するキーを押下すると、押下されたキーを示す信号が操作部１０５からＣＰＵ１０４へ出力される。表示部１０６は、例えば図示を省略した液晶表示ディスプレイおよび液晶表示ディスプレイの表示制御を行う制御回路を有しており、ＣＰＵ１０４の制御の下、文字やグラフィック画面、携帯電話機１００を操作するためのメニュー画面などを液晶ディスプレイに表示する。
【００２３】
不揮発性メモリ１０７は、携帯電話機１００を制御するためのデータや、当該携帯電話機１００の使用者の顔写真を表示部１０６が有する液晶ディスプレイに表示させるための画像データ１０７Ａ（ファイル名：“aaa.jpg”）を記憶している。また、不揮発性メモリは、図５に例示したフォーマットで、履歴テーブルＴＢ３を記憶している。履歴テーブルＴＢ３は、後述するエージェントアプリケーションを用いて行われたデータ通信の履歴を格納するテーブルである。履歴テーブルＴＢ３には、図５に例示したように、日時を示すデータと電話番号とデータ通信により授受された画像データとが対応付けられて、日時順に格納される。
【００２４】
ＵＩＭ（User Identity Module）１１０は、移動体通信網２００を運用する通信事業者が、加入契約を結んだ契約者に対して発行するものである。ＵＩＭ１１０は、加入契約者の契約者情報、例えば、通信事業者が加入契約者に付与した電話番号を記憶しており、携帯電話機１００−１に装着されているＵＩＭ１１０は「０＊０−ＸＸＸＸ−ＸＸＸＸ」、携帯電話機１００−２に装着されているＵＩＭ１１０は「０＊０−ＹＹＹＹ−ＹＹＹＹ」を記憶している。ＵＩＭ１１０の所有者が、ＵＩＭ１１０を携帯電話機に装着すると、携帯電話機１００はＵＩＭ１１０内の契約者情報を利用して通信を行うことが可能となる。ＲＯＭ（Read Only Memory）１０８は、例えば、携帯電話機１００の各部を制御するためのＯＳソフトウェアや、後述するエージェントプログラムを記憶している。
【００２５】
ＣＰＵ１０４は、図示を省略した電源から電力が供給されると、ＲＡＭ（Random Access Memory）１０９を作業エリアとし、ＲＯＭ１０８からＯＳソフトウェアを読み出して起動する。ＣＰＵ１０４がＯＳソフトウェアを起動すると、日付および時刻を計時する時計機能がＣＰＵ１０４に付与される。ＣＰＵ１０４は、日付および時刻を計時し、計時した日付および時刻を示すデータを、例えば、一秒毎にＲＡＭ１０９に格納する。また、ＯＳソフトウェアを実行しているＣＰＵ１０４は、ＣＰＵ１０４に入力される信号に応じた処理を行う。例えば、携帯電話機１００の使用者が、操作部１０５が有するキーを押下すると、ＣＰＵ１０４は、操作部１０５から出力された信号と表示部１０６に表示されている画面とに基づいて使用者の指示を特定し、使用者の指示に応じた処理を行う。
【００２６】
ＣＰＵ１０４がＲＯＭ１０８からエージェントプログラムを読み出して実行すると、音声通話回線が確立している最中にデータ通信を行うエージェントアプリケーションが実現される。ＣＰＵ１０４がエージェントプログラムを実行すると、携帯電話機１００同士の間で音声通話回線が確立された後、音声通話回線が確立された携帯電話機１００同士でデータ通信回線を確立し、データの授受を行う機能、および音声通話回線が確立している最中に一定周期で課金サーバ装置２０６と通信を行い、当該携帯電話機１００が、移動体通信網２００が提供する通信サービスを利用した分の課金に関する情報を取得する機能が付与される。
【００２７】
図６〜図９は、ＣＰＵ１０４がエージェントプログラムを実行している時に行う処理の流れを例示するフローチャートである。
【００２８】
図６は、発呼を行った携帯電話機１００のＣＰＵ１０４が、音声通話回線が確立した後に行う処理の流れを例示するフローチャートである。ＣＰＵ１０４は、図６に示したように、音声通話回線が確立すると、音声通話回線の接続先となっている携帯電話機１００との間で、データ通信回線を確立し、確立したデータ通信回線を用いて、接続先の携帯電話機１００から送られてくる画像データ１０７Ａを履歴テーブルＴＢ３に格納する。
【００２９】
図７は、着呼した携帯電話機１００のＣＰＵ１０４が、音声通話回線が確立した後に行う処理の流れを例示するフローチャートである。ＣＰＵ１０４は、図７に示したように、音声通話回線が確立すると、発呼側の携帯電話機１００との間でデータ通信回線を確立する。ＣＰＵ１０４は、データ通信回線が確立すると、確立したデータ通信回線を用いて送られてくるエージェントメッセージを受信し、画像データ１０７Ａをエージェントメッセージを送信してきた携帯電話機１００へ送信する。
【００３０】
図８は、発呼を行った携帯電話機１００のＣＰＵ１０４が、音声通話回線が確立している最中に、通信料金を示すデータを課金サーバ装置２０６から取得する処理の流れを例示するフローチャートである。ＣＰＵ１０４は、ＲＡＭ１０９に格納されている日付および時刻を示すデータを取得し、一定の時刻が経過すると、課金サーバ装置２０６から、携帯電話機１００が行っている最中の通信に対してされた課金により請求される通信料金を示すデータを取得し、データが示す金額に基づいて、報知音を発生させる。
【００３１】
図９は、携帯電話機１００の使用者が通話を終了し、音声通話回線を切断した時に、発呼を行った携帯電話機１００のＣＰＵ１０４が行う処理の流れを例示するフローチャートである。ＣＰＵ１０４は、音声通話回線を切断すると、履歴テーブルＴＢ３から画像データを読み出し、読み出した画像データにより示される画像をキャラクタが受け取るアニメーションを表示するための動画データを生成する。ＣＰＵ１０４は、生成した動画データに基づいて、表示部１０６を制御し、表示部１０６が有する液晶ディスプレイに、キャラクタが顔写真を受け取る旨のアニメーションを表示する。
【００３２】
［２．動作例］
次に、本実施形態の動作例について、図１０を用いて説明する。なお、以下に説明する動作例において、携帯電話機１００−１および携帯電話機１００−２では、通話が行われる前に、既にエージェントプログラムが実行され、エージェントアプリケーションが実現されているものとする。
【００３３】
携帯電話機１００−１の使用者（以下、第１使用者と略称する）が、操作部１０５が有するキーを用いて、携帯電話機１００−２の使用者（以下、第２使用者と略称する）に付与された電話番号「０＊０−ＹＹＹＹ−ＹＹＹＹ」を入力し、通話回線の接続を指示すると、ＣＰＵ１０４は、入力された電話番号をＲＡＭ１０９に記憶し、ベースバンド信号処理部１０２を制御して回線接続を要求する回線接続要求メッセージを送信する（ステップＳ１０１）。このメッセージは、無線基地局２０１−１にて受信されると、無線ネットワーク制御装置２０２−１を経由して加入者階梯交換機２０３−１へ送られる。加入者階梯交換機２０３−１は、回線接続要求メッセージを受信すると、着信信号を送信する。この着信信号は、ＡＴＭネットワーク２１０を経由して加入者階梯交換機２０３−２へ送られ、無線ネットワーク制御装置２０２−２および無線基地局２０１−２を経由して携帯電話機１００−２へ送られる（ステップＳ１０２）。
【００３４】
着信信号は、携帯電話機１００−２の送受信処理部１０１により受信されると、ベースバンド信号処理部１０２を介して、ＣＰＵ１０４へ供給される。ＣＰＵ１０４は、着信信号を受信すると、ＣＯＤＥＣ部１０３に接続されている図示を省略したスピーカが呼出音を発するようにベースバンド信号処理部１０２を制御する。この制御により、ベースバンド信号処理部１０２に接続されているＣＯＤＥＣ部１０３がスピーカから呼び出し音を発生させる。第２使用者が、呼び出し音に応答して通話を開始する旨の指示を操作部１０５が有するキーを用いて入力すると、ＣＰＵ１０４は、呼び出し応答信号を生成する。生成された呼び出し応答信号は、ベースバンド信号処理部１０２へ供給された後、送受信処理部１０１へ供給され図示を省略したアンテナから送信される（ステップＳ１０３）。この応答信号は、無線基地局２０１−２にて受信された後、加入者階梯交換機２０３−２へ送られ、ＡＴＭネットワーク２１０、加入者階梯交換機２０３−１、無線ネットワーク制御装置２０２−１および無線基地局２０１−１を経由して携帯電話機１００−１へ送られる（ステップＳ１０４）。携帯電話機１００−１にて、呼び出し応答信号が受信されると、音声通話回線が確立され（ステップＳ１０５）、第１使用者と第２使用者は通話を開始する。
【００３５】
エージェントプログラムを実行している携帯電話機１００−１のＣＰＵ１０４は、音声通話回線が確立すると、データ通信を行うために、ＩＰアドレスの付与を要求するメッセージであってＵＩＭ１１０に記憶されている電話番号「０＊０−ＸＸＸＸ−ＸＸＸＸ」を内包するアドレス要求メッセージを生成する。このメッセージは、携帯電話機１００−１から送信され、無線基地局２０１−２にて受信される（図６：ステップＳＡ１、図１０：ステップＳ１０６）。
【００３６】
無線基地局２０１−１にて受信されたアドレス要求メッセージは、関門中継階梯交換機２０４へ送られる。関門中継階梯交換機２０４は、アドレス要求メッセージを受信すると、携帯電話機１００−１に付与するＩＰアドレス「xxx.xxx.xxx.xxx」を決定する。次に関門中継階梯交換機２０４は、アドレス要求メッセージに内包された電話番号と対応付けて、決定したＩＰアドレスを図２に示したようにアドレス管理テーブルＴＢ１に格納する。次に、関門中継階梯交換機２０４は、決定したＩＰアドレスを内包する応答メッセージを生成する。この応答メッセージは、加入者階梯交換機２０３−１、無線ネットワーク制御装置２０２−１、無線基地局２０１−１を介して携帯電話機１００−１へ送信される（ステップＳ１０７）。携帯電話機１００−１のＣＰＵ１０４は、このメッセージを受信すると（ステップＳＡ２；ＹＥＳ）、メッセージに内包されているＩＰアドレス「xxx.xxx.xxx.xxx」を抽出し、ＲＡＭ１０９に記憶する。
【００３７】
次に携帯電話機１００−１のＣＰＵ１０４は、発呼を行う際に第１使用者が入力した電話番号をＲＡＭ１０９から取得する。次に、ＣＰＵ１０４は、取得した電話番号で指定される携帯電話機１００−２との間でデータ通信を行うために、ＲＡＭ１０９から取得した電話番号「０＊０−ＹＹＹＹ−ＹＹＹＹ」と、携帯電話機１００−１に付与されたＩＰアドレス「xxx.xxx.xxx.xxx」とを内包する接続要求メッセージを生成する。このメッセージは、関門中継階梯交換機２０４を宛先として携帯電話機１００−１から送信される（ステップＳＡ３、ステップＳ１０８）。
【００３８】
関門中継階梯交換機２０４は、接続要求メッセージを受信すると、このメッセージに内包されている電話番号を抽出し、この電話番号で識別される携帯電話機１００−２に付与するＩＰアドレスを「yyy.yyy.yyy.yyy」とする。関門中継階梯交換機２０４は、ＩＰアドレスを決定すると、抽出した電話番号「０＊０−ＹＹＹＹ−ＹＹＹＹ」と決定したＩＰアドレス「yyy.yyy.yyy.yyy」とを対応付けて、図２に示したようにアドレス管理テーブルＴＢ１に格納する。次に、関門中継階梯交換機２０４は、決定したＩＰアドレスを受信した接続要求メッセージに内包させる。この接続要求メッセージは、携帯電話機１００−２を宛先として関門中継階梯交換機２０４から送信される（ステップＳ１０９）。
【００３９】
携帯電話機１００−２のＣＰＵ１０４は、接続要求メッセージを受信すると（図７：ステップＳＢ１；ＹＥＳ）、このメッセージから携帯電話機１００−１に付与されたＩＰアドレスと携帯電話機１００−２に付与されたＩＰアドレスを抽出し、ＲＡＭ１０９に記憶する。次にＣＰＵ１０４は、抽出した携帯電話機１００−１のＩＰアドレスを宛先として内包し、携帯電話機１００−２に付与されたＩＰアドレスを送信元として内包する接続応答メッセージを生成する。このメッセージは、関門中継階梯交換機２０４を宛先として携帯電話機１００−２から送信される（ステップＳＢ２、ステップＳ１１０）。
【００４０】
関門中継階梯交換機２０４は、接続応答メッセージを受信すると、このメッセージの宛先として指定された携帯電話機１００−１のＩＰアドレス「xxx.xxx.xxx.xxx」を抽出する。関門中継階梯交換機２０４は、この抽出したＩＰアドレスをキーにしてアドレス管理テーブルＴＢ１に格納されているデータを検索し、該当するＩＰアドレスに対応付けて記憶されている電話番号「０＊０−ＸＸＸＸ−ＸＸＸＸ」を読み出す。次に関門中継階梯交換機２０４は、読み出した電話番号で識別される携帯電話機１００−１を宛先として、受信した接続応答メッセージを送信する（ステップＳ１１１）。
【００４１】
携帯電話機１００−１のＣＰＵ１０４が、この接続応答メッセージを受信すると（ステップＳＡ４；ＹＥＳ）、データ通信用のパケット通信回線が確立する（ステップＳ１１２）。ＣＰＵ１０４は、パケット通信回線が確立すると、接続応答メッセージに内包されている携帯電話機１００−２に付与されたＩＰアドレス「yyy.yyy.yyy.yyy」をＲＡＭ１０９に記憶する。次にＣＰＵ１０４は、パケット通信回線が確立したことを契機として、ＵＩＭ１１０に記憶されている電話番号と携帯電話機１００−２に付与されたＩＰアドレスとを内包し、画像データ１０７Ａを要求する旨のエージェントメッセージを生成する。このエージェントメッセージは、確立されたパケット通信回線を用いて、携帯電話機１００−１から送信され、携帯電話機１００−２にて受信される（ステップＳＡ５、ステップＳ１１３）。
【００４２】
携帯電話機１００−２のＣＰＵ１０４は、エージェントメッセージを受信すると（ステップＳＢ３；ＹＥＳ）、このメッセージに応じて、不揮発性メモリ１０７から画像データ１０７Ａを読み出し、読み出した画像データ１０７Ａを内包するエージェント応答メッセージを生成する。このメッセージは、確立されたパケット通信回線を用いて、携帯電話機１００−２から送信され、携帯電話機１００−１にて受信される（ステップＳＢ４、ステップＳ１１４）。
【００４３】
携帯電話機１００−１のＣＰＵ１０４は、エージェント応答メッセージを受信すると（ステップＳＡ６；ＹＥＳ）、発呼を行う際に第１使用者が入力した電話番号「０＊０−ＹＹＹＹ−ＹＹＹＹ」と、ＯＳソフトウェアを起動することにより付与された時計機能により計時されている現在の日付および時刻を示す日時データ「2002/10/25 10:00」とをＲＡＭ１０９から取得する。次にＣＰＵ１０４は、エージェント応答メッセージに内包されている画像データを抽出し、ＲＡＭ１０９から取得した日時データと電話番号と、エージェント応答メッセージから抽出した画像データとを対応付けて、図５に示したように、不揮発性メモリ１０７の履歴テーブルＴＢ３に格納する（ステップＳＡ７）。ＣＰＵ１０４は、データを履歴テーブルＴＢ３に格納すると、携帯電話機１００−２との間で確立されているパケット通信回線を切断する（ステップＳ１１５）。
【００４４】
次に、エージェントプログラムを実行している携帯電話機１００−１のＣＰＵ１０４は、課金サーバ装置２０６との間でパケット通信を行い、音声通話およびデータ通信に対する課金に関する情報を取得することを試みる。
【００４５】
ＣＰＵ１０４は、音声通話回線が確立してから一定時間が経過すると（図８：ステップＳＣ１；ＹＥＳ）、ＮＭＳＣＰ２０５との間でパケット通信回線を確立する（ステップＳＣ２、ステップＳ１１６）。次にＣＰＵ１０４は、ＵＩＭ１１０に記憶されている電話番号を内包し、現在行っている音声通信および、当該音声通信が行われている間に行われたパケット通信に対する課金に関する情報を要求する旨の課金情報要求メッセージを生成し、確立したパケット通信回線を用い、課金サーバ装置２０６を宛先としてこのメッセージを送信する（ステップＳＣ３、ステップＳ１１７）。課金サーバ装置２０６は、この課金情報要求メッセージを受信すると、このメッセージに内包されている電話番号「０＊０−ＸＸＸＸ−ＸＸＸＸ」を抽出し、抽出した電話番号をキーにして、図３に例示した課金テーブルＴＢ２を検索する。課金サーバ装置２０６は、該当する電話番号を見つけると、電話番号に対応付けて記憶されている通信料金データ「５５０円」を課金テーブルＴＢ２から読み出し、読み出した通信料金データを内包する課金情報応答メッセージを生成する。このメッセージは、携帯電話機１００−１を宛先として課金サーバ装置２０６から送信される（ステップＳ１１８）。
【００４６】
携帯電話機１００−１のＣＰＵ１０４は、課金情報応答メッセージを受信すると（ステップＳＣ４；ＹＥＳ）、パケット通信回線を切断する（ステップＳＣ５、ステップＳ１１９）。次にＣＰＵ１０４は、課金情報応答メッセージに内包されている通信料金データを抽出する（ステップＳＣ６）。ＣＰＵ１０４は、通信料金データを抽出すると、抽出した通信料金データが示す金額に基づいて報知音をスピーカから発音させる。抽出した課金情報が示す金額は「５５０円」であるので（ステップＳＣ７；ＹＥＳ）、ＣＰＵ１０４は、ベースバンド信号処理部１０２を制御し、ＣＯＤＥＣ部１０３に接続されているスピーカから、課金情報が示す金額に基づいて第１の音色で報知音を発生させる（ステップＳＣ８）。
【００４７】
第１使用者が、通話を終了し、操作部１０５が有するキーを用いて音声通話回線を切断する旨の操作を行うと、ＣＰＵ１０４は、音声通話回線を切断する（ステップＳ１２０）。ＣＰＵ１０４は、音声通話回線を切断すると、履歴テーブルＴＢ３の最後のレコードから、画像データを読み出す（図９：ステップＳＤ１）。次にＣＰＵ１０４は、読み出した画像データが表す顔写真を、キャラクタが受け取るアニメーションを表示するための動画データを生成する（ステップＳＤ２）。次にＣＰＵ１０４は、ベースバンド信号処理部１０２を制御し、ＣＯＤＥＣ部１０３に接続されているスピーカから報知音を発生させる（ステップＳＤ３）。次に、ＣＰＵ１０４は、生成した動画データに基づいて、表示部１０６を制御し、表示部１０６が有する液晶ディスプレイに、キャラクタが顔写真を受け取る旨のアニメーションを表示させる（ステップＳＤ４）。
【００４８】
第１使用者は、データ通信により携帯電話機１００−１がデータを取得したことを、通話終了後に報知音によって確実に知り得ることが可能となる。また、例えば、特許文献１に記載されているように、営業活動を行っている者と、この者が続している企業との間で行われるデータ通信のようなビジネス用途のデータ通信だけでなく、個人が友人との間で通話を行った場合にも各々が有する通信端末同士でデータ通信を行うことも可能となる。また、データを授受したことをアニメーションにより携帯電話機の使用者に知らせるデータ通信アプリケーションを用いることにより、データ通信にさらに娯楽性を与えることも可能となる。これにより、通話相手同士のコミュニケーションがさらに高まり、通信端末を用いた通話やデータ通信の利用を促すことにもつながる。また、上述した実施形態で説明したアプリケーションは、受信したデータを用いてアニメーション表示を行うため、受信したデータをタイムリーに利用することができる。また、第１使用者は、通話中に携帯電話機１００と課金サーバ装置２０６との間で行われるデータ通信により、通話しながら通信料金を知ることが可能となる。以上説明したように本実施形態によれば、通話中に行われるデータ通信によりデータを得たことを、通話中や通話後に携帯電話機１００の使用者に確実に知らしめることが可能となる。
【００４９】
［３．変形例］
本発明は、係る実施形態に限定されるものではない。以下、上述した実施形態の変形例について述べる。
【００５０】
課金情報の報知は、報知音に限定されるものではなく、振動による報知、ディスプレイへの表示、ＬＥＤの点滅など、実施形態と異なる方法であってもよい。
【００５１】
上述した実施形態では、エージェントプログラムは音声通話回線の接続前に携帯電話機１００の使用者が起動するようにしているが、音声通話回線が接続された時に自動的に起動されるようにしてもよいし、関門中継階梯交換機２０４から送信される接続要求メッセージに応じてエージェントＡＰを起動するようにしてもよい。
【００５２】
通話中に行われるデータ通信にて授受されるデータは、上述した実施形態に示した画像データに限定されるものではない。例えば、音声通話が開始された時の時刻を示すデータと電話番号とを通話回線の接続先の携帯電話へ送信するようにしてもよい。また、この時刻を示すデータをＰＩＭ（Personal Information Manager）などのスケジュールを管理するアプリケーションが有するスケジュールデータに登録するようにしてもよい。このような態様によれば、誰と通話したかを携帯電話機に履歴として残すことが可能となる。また、時計機能を用いて、通話の時間を計時し、通話終了時に通話時間を送信するようにしてもよい。このような態様によれば、通話時間の履歴を残すことが可能となる。また、誰とどのくらいの間、通話していたかを履歴として残すことが可能となる。
【００５３】
上述した実施形態では、エージェントプログラムはＲＯＭ１０８に記憶されているが、ＲＯＭ１０８ではなく、不揮発性メモリ１０７に記憶するようにしてもよい。また、エージェントプログラムは、インターネットに接続されたサーバ装置などからダウンロードするようにしてもよい。また、エージェントプログラムをＣＤ−ＲＯＭやＦＤなどの他の記録媒体に記録して配布するようにしてもよい。このようにエージェントプログラムを配布することを可能とすれば、エージェントプログラムを有しない携帯電話機１００にエージェントプログラムをインストールしたり、エージェントプログラムのバージョンアップなどを行うことが可能となる。
【００５４】
音声通話回線を切断した時の通信料金に基づいて、音声通話回線を切断した時に、報知音やメロディを異ならせて発音させるようにしてもよい。
【００５５】
携帯電話機１００は、データの受信を始めたこととデータの受信が終了したことを、携帯電話機１００の使用者へ報知するようにしてもよい。このような態様によれば、通信の開始から終了までに時間がかかる場合、例えば、ＦＴＰ（File Transfer Protocol）に従ってデータ通信において、大きなデータサイズのデータを携帯電話機１００が受信する場合には、携帯電話機１００の使用者は、授受しているデータのサイズの概略を、通話を行いながら知ることが可能となる。
【００５６】
近年、携帯電話機においては、Ｊａｖａ（登録商標）言語を用いて作成されたアプリケーションプログラムを実行可能なものがある。このような携帯電話機は、Ｊａｖａ言語を用いて作成されたアプリケーションプログラムの実行環境を実現する実行環境ソフトウェアが搭載されており、このソフトウェアを起動することにより、Ｊａｖａ言語を用いて作成されたアプリケーションプログラムを起動することが可能となる。
このような携帯電話機においては、実行環境ソフトウェアを起動することにより実現するＪａｖａ実行環境上で、Ｊａｖａ言語を用いて作成したエージェントプログラムを実行するようにしてもよい。
また、Ｊａｖａ実行環境ソフトウェアに、通話回線の接続先とデータ通信回線を確立しデータを授受する機能を実現するプログラムと、課金サーバ装置２０６とデータ通信回線を確立しデータを授受する機能を実現するプログラムを含むクラスライブラリを持たせ、Ｊａｖａ言語を用いて作成されたエージェントプログラムが、このクラスライブラリに含まれるこれらのプログラムを利用して、通話回線の接続先とデータ通信回線を確立しデータを授受する機能や、課金サーバ装置２０６とデータ通信回線を確立しデータを授受する機能を実現するようにしてもよい。
【００５７】
上述した実施形態においては、ＣＰＵ１０４がエージェントプログラムを起動すると、
通話回線の接続先とデータ通信回線を確立しデータを授受する機能、および課金サーバ装置２０６とデータ通信回線を確立しデータを授受する機能の両方が実現するが、エージェントプログラムは、いずれか一方の機能を実現するプログラムであってもよい。
【図面の簡単な説明】
【００５８】
【図１】本発明の実施形態に係わる通信システム１０の全体構成を示す図である。
【図２】同実施形態に係わる関門中継階梯交換機２０４が記憶するアドレス管理テーブルＴＢ１のフォーマットを例示する図である。
【図３】同実施形態に係わる課金サーバ装置２０６が記憶する課金テーブルＴＢ２のフォーマットを例示する図である。
【図４】同実施形態に係わる携帯電話機１００のハードウェア構成を例示するブロック図である。
【図５】同実施形態に係わる携帯電話機１００が記憶する履歴テーブルＴＢ３のフォーマットを例示する図である。
【図６】発呼を行った携帯電話機１００のＣＰＵ１０４が、音声通話回線が確立した後に行う処理の流れを例示するフローチャートである。
【図７】着呼した携帯電話機１００のＣＰＵ１０４が、音声通話回線が確立した後に行う処理の流れを例示するフローチャートである。
【図８】発呼を行った携帯電話機１００のＣＰＵ１０４が、音声通話回線が確立している間に行う、通信料金を示すデータを取得する処理の流れを例示するフローチャートである。
【図９】携帯電話機１００の使用者が通話を終了し、音声通話回線を切断した時に、エージェントメッセージを受信した携帯電話機１００のＣＰＵ１０４が行う処理の流れを例示するフローチャートである。
【図１０】本発明の実施形態の動作例を説明するための図である。
【符号の説明】
【００５９】
１００，１００−１，１００−２・・・携帯電話機、１０１・・・送受信処理部、１０２・・・ベースバンド信号処理部、１０３・・・ＣＯＤＥＣ部、１０４・・・ＣＰＵ、１０５・・・操作部、１０６・・・表示部、１０７・・・不揮発性メモリ、１０８・・・ＲＯＭ、１０９・・・ＲＡＭ、１１０・・・ＵＩＭ、２００・・・移動体通信網、２０１−１，２０１−２・・・無線基地局、２０１−２，２０２−２・・・無線ネットワーク制御装置、２０１−３，２０３−２・・・加入者階梯交換機、２０４・・・関門中継階梯交換機、２０５・・・ＮＭＳＣＰ、２０６・・・課金サーバ装置、２１０・・・ＡＴＭネットワーク、２１１・・・共通線信号網。
【図１】
2005175831.tif 000003
【図２】
2005175831.tif 000004
【図３】
2005175831.tif 000005
【図４】
2005175831.tif 000006
【図５】
2005175831.tif 000007
【図６】
2005175831.tif 000008
【図７】
2005175831.tif 000009
【図８】
2005175831.tif 000010
【図９】
2005175831.tif 000011
【図１０】
2005175831.tif 000012